(57)【要約】  ベッドにおける潜在的な挟み込みゾーンを塞ぐシステムおよび方法である。このシステムは、ヘッドエンドパッドを封入するヘッドエンドカバーを有するヘッドエンドアセンブリと、パッドを封入するカバーを有するフットエンドアセンブリとを具えてもよい。このシステムはさらに、前記ヘッドエンドアセンブリと前記フットエンドアセンブリとの間に延在する一対の壁を具えてもよい。当該壁は可膨張性の部材を具えてもよい。【選択図】図１
2011505909.tif 000002
【特許請求の範囲】
【請求項１】
パッドシステムにおいて：
ヘッドエンドアセンブリと；
フットエンドアセンブリと；
前記ヘッドエンドアセンブリと前記フットエンドアセンブリとの間に延在する一対の壁とを具えており、
前記壁のそれぞれが複数の可膨張性の部材を具えることを特徴とするシステム。
【請求項２】
請求項１に記載のパッドシステムにおいて、前記ヘッドエンドアセンブリがヘッドエンドパッドを封入するヘッドエンドカバーを具え、前記フットエンドアセンブリがフットエンドパッドを封入するフットエンドカバーを具えることを特徴とするシステム。
【請求項３】
請求項１に記載のパッドシステムにおいて、前記壁のそれぞれが、第１の可膨張性の部材と第２の可膨張性の部材との間にウェビングを具えることを特徴とするシステム。
【請求項４】
請求項１乃至３のいずれかに記載のパッドシステムにおいて、前記一対の壁に連結されたベースシートをさらに具えることを特徴とするシステム。
【請求項５】
請求項４に記載のパッドシステムにおいて、前記ベースシートが複数の開口部を具えることを特徴とするシステム。
【請求項６】
請求項４に記載のパッドシステムにおいて、前記複数の可膨張性の部材の少なくとも１つが前記ベースシートから離れる方向に延在していることを特徴とするシステム。
【請求項７】
請求項１乃至３のいずれか一項に記載のパッドシステムにおいて、前記一対の壁が、前記ヘッドエンドアセンブリを前記フットエンドアセンブリに対して関節動作できるように構成したことを特徴とするシステム。
【請求項８】
請求項１に記載のパッドシステムにおいて、
前記一対の壁のそれぞれが上部と、中間部と、下部とを具えており；
前記上部、前記中間部、前記下部のそれぞれが少なくとも１つの可膨張性の部材を具え；
前記中間部の前記可膨張性の部材が、前記上部または前記下部の可膨張性の部材よりも長いことを特徴とするシステム。
【請求項９】
請求項８に記載のパッドシステムにおいて、前記上部または前記下部の可膨張性の部材が膨張している間に前記中間部の可膨張性の部材が歪みうることを特徴とするシステム。
【請求項１０】
請求項１乃至３のいずれか一項に記載のパッドシステムにおいて、前記複数の可膨張性の部材を互いに流体連結させるように連結する導管をさらに具えることを特徴とするシステム。
【請求項１１】
フレームと、マットレスと、第１のサイドレールと、第２のサイドレールと、ヘッドボードと、フットボードとを有する病院のベッドにおける潜在的な挟み込みゾーンを塞ぐ方法において、当該方法が、
パッドシステムを提供するステップを具え、当該パッドシステムが、
ヘッドエンドパッドを封入するヘッドエンドカバーを具えるヘッドエンドアセンブリと；
フットエンドパッドを封入するフットエンドカバーを具えるフットエンドアセンブリと；
前記ヘッドエンドアセンブリと前記フットエンドアセンブリとの間に延在する第１および第２の壁とを具え、前記壁のそれぞれが複数の可膨張性の部材を具えており、
前記パッドシステムを前記病院のベッドに装填するステップであって、前記ヘッドエンドパッドが前記マットレスと前記ヘッドボードとの間に配置され、前記第１の壁が前記マットレスと前記第１のサイドレールとの間に配置され、前記第２の壁が前記マットレスと前記第２のサイドレールとの間に配置され、前記フットエンドパッドが前記マットレスと前記フットボードとの間に配置されているステップ具えることを特徴とする方法。
【請求項１２】
請求項１１に記載の方法において、前記パッドシステムは、前記ヘッドエンドアセンブリが関節動作できるように構成されており、これにより前記ヘッドエンドアセンブリが前記フットエンドアセンブリに対して高くなることを特徴とする方法。
【請求項１３】
請求項１１に記載の方法において、前記パッドシステムが、患者の膝を支持するのに用いる部位の近くの前記マットレスを関節動作させるように構成されていることを特徴とする方法。
【請求項１４】
請求項１１乃至１３のいずれか一項に記載の方法において、前記第１および第２の壁のそれぞれが第１および第２の可膨張性の部材とを有する中間部を具えており、前記ヘッドエンドアセンブリを関節動作させると、前記第１の可膨張性の部材が前記第２の可膨張性の部材に対して傾くことを特徴とする方法。
【請求項１５】
請求項１４に記載の方法において、前記第１および第２の壁がベースシートに連結されており、前記ヘッドエンドアセンブリを関節動作すると、前記ベースシートから遠位の前記可膨張性の部材の端部が前記ベースシートに近位の前記可膨張性の部材の端部よりも互いに近付くことを特徴とする方法。
【請求項１６】
ベッドにおいて、
フレームと；
ヘッドボードと；
フットボードと；
ヘッドエンド、フットエンド、第１の側面および第２の側面を具えるマットレスと；
前記フレームに連結され、前記マットレスの第１の側面および第２の側面に近位の複数のサイドレールと；
パッドシステムと；を具えており、当該パッドシステムが、
ヘッドエンドアセンブリと；
フットエンドアセンブリと；
前記ヘッドエンドアセンブリと前記フットエンドアセンブリとの間に延在する一対の壁と；を具えており、
前記壁のそれぞれが複数の可膨張性の部材を具え；
前記ヘッドエンドパッドは前記マットレスと前記ヘッドボードとの間に配置され；
第１の壁は前記マットレスと前記第１のサイドレールとの間に配置され；
第２の壁は前記マットレスと前記第２のサイドレールとの間に配置され；
前記フットエンドパッドは前記マットレスと前記フットボードとの間に配置されていることを特徴とするベッド。
【請求項１７】
請求項１６に記載のベッドにおいて、前記ヘッドエンドアセンブリがヘッドエンドパッドを封入するヘッドエンドカバーを具え、前記フットエンドアセンブリがフットエンドパッドを封入するフットエンドカバーを具えることを特徴とするベッド。
【請求項１８】
請求項１６に記載のベッドにおいて、当該ベッドが関節動作するように構成されていることを特徴とするベッド。
【請求項１９】
請求項１６乃至１８のいずれか一項に記載のベッドにおいて、前記ヘッドボードが前記フットボードよりも高くなりうることを特徴とするベッド。
【請求項２０】
マットレスとサイドレールとを有する病院のベッドにおける挟み込みを減少させるパッドにおいて、当該パッドが、
少なくとも１つの第１の可膨張性の部材を具える上部と；
少なくとも１つの第２の可膨張性の部材を具え、前記第２の可膨張性の部材が前記第１の可膨張性の部材よりも長い中間部と；
少なくとも１つの第３の可膨張性の部材を具える下部と；
前記上部と前記中間部および前記中間部と前記下部とを連結して前記パッドを形成するウェビングとを具えており、前記パッドが前記マットレスと前記サイドレールとの間に挟装されるように構成されることを特徴とするパッド。
【請求項２１】
請求項２０に記載のパッドにおいて、前記サイドレールが間に開放ゾーンを有する上側レールと下側レールとを具えており、
前記パッドの上部が前記上側レールと前記マットレスとの間に挟装するように構成され；
前記パッドの下部が前記下側レールと前記マットレスとの間に挟装するように構成され；
前記中間部が、前記上側レールと前記下側レールとの間の開放ゾーンに少なくとも部分的に延在することを特徴とするパッド。
【発明の詳細な説明】
【技術分野】
【０００１】
関連出願の相互参照
本願は、２００７年１２月１０日出願の米国特許出願第１１／９５３，４１０号の利益を主張するものであり、その総ての開示は特に参照により本明細書に組み込まれる。
【背景技術】
【０００２】
病院のベッドのような通常の医療用支持面は、フレームと、マットレスと、ヘッドボードと、フットボードと、サイドレールとを具える。ある実施例では、マットレスと、サイドレール、ヘッドボードまたはフットボードといった近接する構成部品との間に隙間があることがある。さらに、サイドレール間、またはサイドレールをフレームに連結する支持具の内側に隙間があることもある。医薬品局（ＦＤＡ）は、患者に特定のリスクを招く、ベッドの構成部品の間の具体的なゾーンを認識している。総てが参照により本明細書に組み込まれる、２００６年３月１０日発行の“Ｈｏｓｐｉｔａｌ  Ｂｅｄ  Ｓｙｓｔｅｍ  Ｄｉｍｅｎｓｉｏｎａｌ  ａｎｄ  Ａｓｓｅｓｓｍｅｎｔ  Ｇｕｉｄａｎｃｅ  ｔｏ  Ｒｅｄｕｃｅ  Ｅｎｔｒａｐｍｅｎｔ−Ｇｕｉｄａｎｃｅ  ｆｏｒ  Ｉｎｄｕｓｔｒｙ  ａｎｄ  ＦＤＡ  Ｓｔａｆｆ”を参照すること。
【０００３】
患者が隙間に挟み込まれることがあるため、これらの隙間はベッドに支持されている患者にリスクを招きうる。このため、患者が挟み込まれる可能性を減らす、患者から隙間を塞ぐ方法およびシステムを提供することが望ましい。しかしながら、介護者が患者を補助する必要がある場合、介護者が患者にアクセスできることも望ましい。さらに、所望の時に患者がベッドに出入り出来ることが望ましい。従って、この隙間を塞ぐ方法およびシステムは、患者の利用を制限しないことが望ましい。
【発明の概要】
【０００４】
例示的な実施形態は、ベッドの潜在的な挟み込みゾーンを塞ぐシステムおよび方法を具える。このシステムは、ヘッドエンドパッドを封入するヘッドエンドカバーを有するヘッドエンドアセンブリと、パッドを封入するカバーを有するフットエンドアセンブリとを具えてもよい。このシステムはさらに、ヘッドエンドアセンブリとフットエンドアセンブリとの間に延在する一対の壁を具え、この壁は可膨張性の部材を具えてもよい。
【０００５】
パッドシステムを具える例示的な実施形態は：ヘッドエンドアセンブリと；フットエンドアセンブリと；ヘッドエンドアセンブリとフットエンドアセンブリとの間に延在する一対の壁とを具えており、それぞれの壁は複数の可膨張性の部材を具える。ヘッドエンドアセンブリはヘッドエンドパッドを封入するヘッドエンドカバーを具え、フットエンドアセンブリはフットエンドパッドを封入するフットエンドカバーを具えてもよい。それぞれの壁は、第１の可膨張性の部材と第２の可膨張性の部材との間に設けたウェビングおよび／または前記一対の壁に連結されたベースシートを具えてもよい。ある例示的な実施形態では、ベースシートは複数の開口部を具えていてもよく、複数の可膨張性の部材の少なくとも１つはベースシートから離れる方向に延在してもよい。
【０００６】
ある例示的な実施形態では、一対の壁がフットエンドアセンブリに対してヘッドエンドアセンブリの関節動作ができるように構成されている。特定の例示的な実施形態では：一対の壁のそれぞれが、上部と、中間部と、下部とを具えており；上部、中間部および下部はそれぞれ可膨張性の部材を具え；中間部の可膨張性の部材は上部または下部の可膨張性の部材よりも長い。ある例示的な実施形態では、中間部における可膨張性の部材は、上部または下部における可膨張性の部材が膨張している間、収縮してもよい。ある例示的な実施形態は、複数の可膨張性の部材が互いに流体連結するように、これらの部材を連結する導管を具えていてもよい。
【０００７】
他の例示的な実施形態は、フレームと、マットレスと、一対のサイドレールと、ヘッドボードと、フットボードとを有する病院のベッドにおける潜在的な挟み込みゾーンを塞ぐ方法を具える。特定の例示的な実施形態はパッドシステムを提供するステップを含み、当該システムは：ヘッドエンドパッドを封入するヘッドエンドカバーを具えるヘッドエンドアセンブリと；フットエンドパッドを封入するフットエンドカバーを具えるフットエンドアセンブリと；ヘッドエンドアセンブリとフットエンドアセンブリとの間に延在する第１および第２の壁を具える。特定の例示的な実施形態では、これらの壁は複数の可膨張性の部材を具えており、このパッドシステムは病院のベッドに適している。
【０００８】
ある例示的な実施形態では、ヘッドエンドパッドがマットレスとヘッドボードとの間に配置され、第１の壁がマットレスと第１のサイドレールとの間に配置され、第２の壁がマットレスと第２のサイドレールとの間に配置され、フットエンドパッドがマットレスとフットボードとの間に配置されている。ある例示的な実施形態では、パッドシステムはヘッドエンドアセンブリを関節動作させて、ヘッドエンドアセンブリがフットエンドアセンブリに対して高く上がるように構成されている。他の例示的な実施形態では、このパッドシステムは、患者の膝を支持するのに用いられる部位の近くのマットレスを関節動作させるように構成されている。さらに他の実施形態では、第１および第２の壁それぞれが第１および第２の可膨張性の部材を有する中間部を具えており、ヘッドエンドアセンブリを関節動作させると、第１の可膨張性の部材が第２の可膨張性の部材に対して傾く。特定の例示的な実施形態では、第１および第２の壁がベースシートに連結されており、ヘッドエンドアセンブリを関節動作させると、ベースシートから遠位の可膨張性の部材の端部同士がベースシートの近位にある可膨張性の部材の端部より互いに近くなる。
【０００９】
さらに他の実施形態は、フレームと；ヘッドボードと；フットボードと；ヘッドエンド、フットエンド、第１の側面および第２の側面を具えるマットレスと；を具えるベッドを含む。ある例示的な実施形態は、フレームに連結された複数のサイドレールを具えており、マットレスの第１の側面および第２の側面に近位である。特定の例示的な実施形態は、パッドシステムを具えており、当該パッドシステムは、ヘッドエンドアセンブリと；フットエンドアセンブリと；ヘッドエンドアセンブリとフットエンドアセンブリとの間に延在する一対の壁とを具え、それぞれの壁は複数の可膨張性の部材を具える。特定の例示的な実施形態では、ヘッドエンドアセンブリはマットレスとヘッドボードとの間に配置され；第１の壁はマットレスと第１のサイドレールとの間に配置され；第２の壁はマットレスと第２のサイドレールとの間に配置され；フットエンドアセンブリはマットレスとフットボードとの間に配置されている。ある例示的な実施形態では、ヘッドエンドアセンブリはヘッドエンドパッドを封入するヘッドエンドカバーを具え、フットエンドアセンブリはフットエンドパッドを封入するフットエンドカバーを具える。特定の例示的な実施形態では、ベッドは関節動作するように構成されており、ヘッドボードがフットボードに対して高く上がる。
【００１０】
ある例示的な実施形態は、マットレスとサイドレールとを有する病院のベッドにおける挟み込みを減少させるパッドを具えており、当該パッドは：少なくとも１つの第１の可膨張性の部材を具える上部と；少なくとも１つの第２の可膨張性の部材を具え、当該第２の可膨張性の部材が第１の可膨張性の部材より長い中間部と；少なくとも１つの第３の可膨張性の部材を具える下部と；上部と中間部および中間部と下部とを連結してパッドを形成するウェビングとを具えており、このパッドはマットレスとサイドレールとの間に挟装するように構成されている。
【００１１】
特定の例示的な実施形態では、サイドレールは間に開放ゾーンを有する上側レールと下側レールとを具えており；パッドの上部は上側レールとマットレスとの間に挟装するように構成されている。ある例示的な実施形態では、レールの下部は、下側レールとマットレスとの間に挟装するように構成され、中間部は上側レールと下側レールとの間の開放ゾーンに少なくとも部分的に延在している。
【図面の簡単な説明】
【００１２】
本発明の例示的な実施形態は、以下に詳細が図示および記載されているが、変更および改良が本発明の範囲を超えることなく実施されうることは当業者にとって自明である。従って、以下の説明および添付の図における記載は単なる例示として提供され、限定するものではない。本発明の実際の範囲は、以下の特許請求の範囲と、これらの請求項が享受する完全な範囲の均等物とともに定められるものである。
【００１３】
さらに、本明細書に記載された本発明の他の変更例が本発明の範囲内に含まれうることを、本開示を読んで理解した当業者は理解するであろう。例えば、異なる構成材料をパッドシステムに用いられるパッドおよびカバーに使用してもよい。さらに、個々のパッドまたは可膨張性の部材の形状を変更することもできる。
【００１４】
以下の開示された実施形態の詳細な説明では、開示を合理化する目的で様々な特徴が単一の実施形態に一緒にまとめられている。この開示した方法は、本発明の例示的な実施形態が各請求項に明白に記載されている事項より多くの特徴を必要とするという意図を反映するものと解釈されるべきではない。むしろ、添付の特許請求の範囲が示すように、本発明の主題は、単一の開示された実施形態のすべての構成よりも少ない構成にある。従って、添付の特許請求の範囲は例示的な実施形態の詳細な説明に組み込まれ、各請求項は別個の好ましい実施形態として単独で有効である。
【００１５】
【図１】図１は、パッドシステムの限定ではない例示的な実施形態の組み立て図である。
【図２】図２は、図１の実施形態の一部の分解図である。
【図３】図３は、図１の実施形態の一部の分解図である。
【図４Ａ】図４Ａは、第１の関節動作位置における図１の実施形態の側面図である。
【図４Ｂ】図４Ｂは、第２の関節動作位置における図１の実施形態の側面図である。
【図５】図５は、 図１の実施形態に適するベッドの斜視図である。
【発明を実施するための形態】
【００１６】
図１乃至４に示された例示的な実施形態を参照すると、パッドシステム１００は、ヘッドエンドアセンブリ１１５と、本体アセンブリ１２５と、フットエンドアセンブリ１４５とを具える。ヘッドエンドアセンブリ１１５はさらに、一対のエンドプレート１１２と、パッド１１４と、カバー１１０とを具える。フットエンドアセンブリ１４５は同様に、一対のエンドプレート１４２と、パッド１４４と、カバー１４０とを具える。本体アセンブリ１２５は、複数の開口部１８２を有するベースシート１８０により連結されている一対の壁１３０を具える。壁１３０はヘッドエンドアセンブリ１１５とフットエンドアセンブリ１４５との間に延在する。図示された例示的な実施形態では、壁１３０は互いに鏡像である。明確にするため、一対の壁１３０の特徴を一方の壁１３０のみに示す。一方の壁１３０に示された特徴または要素は、反対側の壁１３０にも存在することを理解されたい。ヘッドエンドアセンブリ１１５、本体アセンブリ１２５、およびフットエンドアセンブリ１４５は、当業者にとって一般的な連結部材（図示せず）によって互いに連結されてもよい。限定ではない連結部材の実施例は、バックル、ストラップ機構、フック、ループファスナ、およびジッパ等を含む。他の例示的な実施形態では、ヘッドエンドアセンブリ１１５およびフットエンドアセンブリ１４５は、本体アセンブリ１２５と一体的に形成してもよい。さらに他の例示的な実施形態では、ヘッドエンドアセンブリ１１５およびフットエンドアセンブリ１４５は、可膨張性の部材１３２と類似する可膨張性の部材を具えてもよい。ヘッドエンドアセンブリ１１５およびフットエンドアセンブリ１４５におけるこのような可膨張性の部材は、パッド１１４および１４４の代わりに、あるいはこれらと併用して利用することができる。
【００１７】
この例示的な実施形態では、各壁１３０は、ベースシート１８０から離れる方向に延在する複数の可膨張性の部材１３２と、可膨張性の部材１３２の間に延在するウェビング１３４とを具える。図示された実施形態では、各壁１３０は、上部１３３(ヘッドエンドアセンブリ１１５に近位)と、下部１３７（フットエンドアセンブリ１４５に近位）と、上部１３３と下部１３７との間の中間部１３５とを具える。図１に示されるように、中間部１３５は、上部１３３および下部１３７の上方に延在し、これにより中間部１３５の可膨張性の部材１３２は、上部１３３または下部１３７の可膨張性の部材１３２よりも長い。従って、中間部１３５は上部１３３または下部１３７よりもベースシート１８０からさらに長く延在する。可膨張性の部材１３２はさらに、上導管１３１および下導管１３９によって連結されることにより、複数の可膨張性の部材１３２が互いに流体連結されていてもよい。特定の例示的な実施形態では、特定部分（例えば、上部１３３、中間部１３５および下部１３７）の可膨張性の部材１３２が互いに流体連結されていてもよいが、他の部分の可膨張性の部材１３２とは流体連結していなくてもよい。
【００１８】
図１にも示されるように、ヘッドエンドアセンブリ１１５は凹部１１６を具え、フットエンドアセンブリ１４５は凹部１４６を具えている。凹部１４６および１１６により、介護者は、パッドシステム１００が組み込まれたベッドに支持されている患者に近付きやすくなる。緊急事態においてＣＰＲのような処置を行うために介護者が患者に近付く必要がある場合、このようなアクセスは重要になりうる。
【００１９】
ある例示的な実施形態では、パッドシステム１００におけるパッドは、抗菌性の発泡樹脂製品からできている。カバー１１０および１４０は、耐久性フレーム、難燃性の強化ポリエステル、（Ｓｔａｐｈ−Ｃｈｅｃｋという商品名で販売されている材料のような）抗菌性ビニル布から構成されてもよい。ある例示的な実施形態では、カバー１１０および１４０は、０．０３０インチのポリプロピレンの塗膜をさらに具え、および／または別個の内層と外層とを具えてもよい。この内層はＤａｒｔｅｘ（登録商標）により提供されるような材料から作られてもよい。ある例示的な実施形態では、ウェビング１３４は、引張ると長くなり、その後元の長さに戻ることができる弾性材料から構成されてもよい。特定の例示的な実施形態では、ウェビング１３４はブレソプレン（Ｂｒｅａｔｈｏｐｒｅｎｅ）からできていてもよい。
【００２０】
ある例示的な実施形態では、可膨張性の部材１３２は高周波（ＲＦ）溶接、熱融着、または縫製およびシームシーリングによって形成できる。可膨張性の部材１３２は、ある例示的な実施形態における可膨張性の部材の内部に内部圧力を保持できる材料から構成されてもよい。ヘッドエンドアセンブリ１１５およびフットエンドアセンブリ１４５もまた、例示的な実施形態では、ＲＦ溶接、熱融着、または縫製およびシームシーリングによって形成できる。
【００２１】
図５に示された例示的な実施形態をここで参照すると、ベッド２００は左上側サイドレール２０５と、左下側サイドレール２１０と、右上側サイドレール２１５と、右下側サイドレール２２０とを具える。ベッド２００はさらに、マットレス２３７を支持するフレーム２３５の各端部において、ヘッドボード２２５とフットボード２３０とを具える。レール支持具２４０は、それぞれのレール２０５、２１０、２１５、２２０とフレーム２３５との間に延在する。ベッド２００はマットレス２３７を具えており、これは従来の形状のマットレスまたはＫｉｎｅｔｉｃ  Ｃｏｎｃｅｐｔｓ社から市販されているような空気面でもよい。
【００２２】
ＦＤＡ指針“Ｈｏｓｐｉｔａｌ  Ｂｅｄ  Ｓｙｓｔｅｍ  Ｄｉｍｅｎｓｉｏｎａｌ  ａｎｄ  Ａｓｓｅｓｓｍｅｎｔ  Ｇｕｉｄａｎｃｅ  ｔｏ  Ｒｅｄｕｃｅ  Ｅｎｔｒａｐｍｅｎｔ−Ｇｕｉｄａｎｃｅ  ｆｏｒ  Ｉｎｄｕｓｔｒｙ  ａｎｄ  ＦＤＡ  Ｓｔａｆｆ”に記載されているように、ベッド２００のようなベッドは、ベッド２００に支持されている人間が挟み込まれる可能性があるいくつかの潜在的な挟み込みゾーンを具えている。ゾーン１はレール２０５、２１０、２１５および２２０のそれぞれの内側に存在し、ゾーン２はレール２０５、２１０、２１５、２２０（とレール支持具２４０との間）の下部に存在する。ゾーン３はレール２０５、２１０、２１５、２２０とマットレス２３７との間に存在する。ゾーン４はレール２０５、２１０、２１５、２２０のそれぞれの端部に存在し、ゾーン５はレール２０５と２１０との間だけではなく、レール２１５と２２０との間にも存在する。ゾーン６はレール２０５、２１０、２１５、２２０のそれぞれの端部とヘッドボード２２５およびフットボード２３０との間に存在する。ゾーン７はマットレス２３７とヘッドボード２２５およびフットボード２３０の両方との間に存在する。
【００２３】
ある例示的な実施形態では、パッドシステム１００は、ＦＤＡによって認識されている特定のゾーンに人間が挟み込まれる可能性を減らすように、ベッド２００に適した構成をもつ。具体的には、パッドシステム１００は、このゾーンに閉塞部材を配置して、ＦＤＡにより潜在的な挟み込みゾーンとして認識されている範囲またはゾーンへのアクセスを制限するように構成されている。例えば、壁１３０の可膨張性の部材１３２は、ベッド２００の側面のゾーン２乃至６に配置されるように構成されている。さらに、パッド１１４および１４４は、マットレス２３７とヘッドボード２２５およびフットボード２３０との間のゾーン７に配置されるように構成される。マットレス２３７が空気支持のマットレスである、ある例示的な実施形態では、パッドシステム１００の可膨張性の部材１３２は、マットレス２３７を膨張させるために用いたものと同じ空気源によって膨張させてもよい。他の例示的な実施形態では、可膨張性の部材１３２は別の空気源によって膨張させてもよい。
【００２４】
図１の例示的な実施形態において示されるように、壁１３０は、ベッド２００を関節動作させてヘッドボード２２５に近位のベッド２００の一部を高くするように構成される。例えば、ウェビング１３４は柔軟であり、ベッド２００が関節接合されているために可膨張性の部材１３２は互いの方へ傾けることができる。図４Ａに示されるように、中間部１３５では、上部１３３が下部１３７に対して高く上がるため、ベースシート１８０から遠位の可膨張性の部材１３２の端部は互いに近付くことができる。中間部１３５の上導管１３９は長さが圧縮され（すなわち、部分的につぶれる）、これにより、図４Ａに示されるように、可膨張性の部材１３２を互いの方へ曲げることができる。これにより、パッドシステム１００からの干渉を最小限にして、ベッド２００を所望の姿勢にすることができる。
【００２５】
さらに、図４Ｂに示されるように、下部１３７は、患者の膝下の支持面の関節動作に対応するように配置することができる。この位置では、下部１３７の上導管１３９と下導管１３１は、支持面に合うように歪む。さらに、下部の可膨張性の部材１３２は、図４Ｂに示されるように若干傾いて、支持面の関節動作に対応するようにしている。
【００２６】
ある例示的な実施形態では、パッドシステム１００は、マットレス２３７とサイドレール２０５、２１０、２１５、２２０との間に挟装するように構成され、パッドシステム１００が所定の位置にある時にサイドレール２０５、２１０、２１５、２２０の何れかを下げることができる。所定の位置にパッドシステム１００を有するサイドレールを下げる、または関節動作させる機能により、介護者が患者にアクセスするのがさらに容易になりうる。ある例示的な実施形態では、患者がベッド２００に出入りできるように、上部１３３および下部１３７がマットレス２３７とほぼ同じ高さ（患者の体重によってマットレス２３７が変形する前）にある。特定の例示的な実施形態では、上部１３３および１３７の可膨張性の部材１３２の長さは約１２インチであり、中間部１３５の可膨張性の部材１３２の長さは約１６インチである。さらに、中間部１３５の可膨張性の部材１３２は、患者がベッド２００にさらに簡単に出入りできるように（単独で、または上部１３３および下部１３７の可膨張性の部材１３２と一緒に）歪みうる。
【００２７】
カバー１４０はエンドプレート１４２間に延在するベースシート１７５を具えているが、カバー１１０はエンドプレート１１２間に延在するベースシート１８５を具えている。ある例示的な実施形態では、ベースシート１７５、１８０および１８５は一連の開口部１７６、１８２および１８６をそれぞれ具えており、これによりベースシートを通して様々な連結（例えば、空気クッションの連結）が可能になる。この開口部はまた、ベッド面への取り付けを容易にする。
【００２８】
前述したように、パッドシステム１００は、従来のマットレスまたは可膨張性の空気マットレスであるマットレス２３７と一緒に利用することができる。マットレス２３７が可膨張性のマットレスである例示的な実施形態では、パッドシステム１００の可膨張性部位を、マットレス２３７を膨張させるのに使用される圧力よりもさらに大きな圧力で膨張させてもよい。例えば、可膨張性の部材１３２、上導管１３９、下導管１３１をマットレス２３７よりも大きな圧力で膨張させてもよい。
【図１】
2011505909.tif 000003
【図２】
2011505909.tif 000004
【図３】
2011505909.tif 000005
【図４Ａ】
2011505909.tif 000006
【図４Ｂ】
2011505909.tif 000007
【図５】
2011505909.tif 000008
【国際調査報告】
2011505909.tif 000009